(57)【要約】【課題】電子メールなどの送受信を容易に行うことができ、さらに高速処理を簡潔に行うデータ送受信装置を提供すること。【解決手段】発明のデータ送受信装置は、ネットワーク回線１００を通じてデータを受信するデータ端末部１０１と、データ端末部１０１より配信されたデータを長期間保存用と短期間保存用とに分類する分類手段１０３と、分類手段１０３により分類された長期間保存用のデータを予め定めた長期間保存する長期記憶部１０４と、分類手段１０３により分類された短期保存用のデータを予め定めた短期間一時的に保存する一時記憶部１０５とを備えることとした。【選択図】      図１
2004221763.tif 000002
【特許請求の範囲】
【請求項１】
ネットワーク回線を通じてデータを受信するデータ端末部と、前記データ端末部より配信された前記データを長期間保存用と短期間保存用とに分類する分類手段と、前記分類手段により分類された長期間保存用の前記データを予め定めた長期間保存する長期記憶部と、前記分類手段により分類された短期保存用の前記データを予め定めた短期間一時的に保存する一時記憶部とを備えたことを特徴とするデータ送受信装置。
【請求項２】
前記データ端末部と、前記分類手段と、前記長期記憶部と、前記一時記憶部とをインターホンシステムに使用することを特徴とする請求項１に記載のデータ送受信装置。
【請求項３】
ネットワーク回線に対して電子メールを送信する電子メール送信手段と、前記電子メール送信手段に対して送信内容となる本文をそれぞれ作成する複数の電子メール本文作成手段と、前記複数の電子メール本文作成手段にそれぞれ対応して接続し、前記本文の送信指示がそれぞれ入力される複数の入力手段とを備えたことを特徴とするデータ送受信装置。
【請求項４】
前記電子メール送信手段と、前記複数の電子メール本文作成手段と、前記複数の入力手段とをインターホンシステムに使用することを特徴とする請求項３に記載のデータ送受信装置。
【請求項５】
電子メールを送信するデータ端末部と、前記電子メールの選択対象となるアドレスを管理するアドレス管理部と、前記アドレスが選択されるアドレス選択手段とを備え、選択された前記アドレスにより前記データ端末部より前記電子メールが送信されることを特徴とするデータ送受信装置。
【請求項６】
前記データ端末部と、前記アドレス管理部と、前記アドレス選択手段とをインターホンシステムに使用することを特徴とする請求項５に記載のデータ送受信装置。
【請求項７】
受信した電子メールの送信先アドレスを取り出す送信先取得手段と、前記電子メールより前記電子メールの題名を取り出す題名取得手段と、前記送信先アドレスと前記題名とを元に、電子メールアドレスを登録するアドレス登録手段と、前記電子メールアドレスを記憶するアドレス記憶部と、前記電子メールが送信されるとき前記アドレス記憶部に記憶された電子メールアドレスが選択されるアドレス選択手段と、前記アドレス選択手段により選択された電子メールアドレスを用いて電子メールを送信する電子メール送信部とを備えたことを特徴とするデータ送受信装置。
【請求項８】
前記送信先取得手段と、前記題名取得手段と、前記アドレス登録手段と、前記アドレス記憶部と、前記アドレス選択手段と、前記電子メール送信部とをインターホンシステムに使用することを特徴とする請求項７に記載のデータ送受信装置。
【請求項９】
ネットワーク回線から受信した電子メールのデータを配信するデータ配信部と、前記データを受信するデータ端末部と、前記データ端末部がデータを受信したことを外部に通知する受信通知手段と、前記通知を行うか否かが選択される受信通知選択手段とを備えたことを特徴とするデータ送受信装置。
【請求項１０】
前記データ配信部と、前記データ端末部と、前記受信通知手段と、前記受信通知選択手段とをインターホンシステムに使用することを特徴とする請求項９に記載のデータ送受信装置。
【請求項１１】
ネットワーク回線から受信した電子メールのデータを配信するデータ配信部と、前記データ配信部から配信されてきたデータをローカルに記憶するローカル記憶手段と、前記ネットワーク回線上にあるデータならびに前記ローカル記憶手段上にあるデータを表示する機能を有するブラウズ手段と、前記ブラウズ手段が過去に表示したデータをキャッシュするキャッシュ手段とを備えたことを特徴とするデータ送受信装置。
【請求項１２】
前記データ配信部と、前記ローカル記憶手段と、前記ブラウズ手段と、前記キャッシュするキャッシュ手段とをインターホンシステムに使用することを特徴とする請求項１１に記載のデータ送受信装置。
【請求項１３】
データを保存する書き換え可能のデータ保存部と、前記データ保存部で使用しているデータ領域を管理するデータ使用領域管理部と、前記データ保存部で未使用のデータ領域を管理するデータ未使用領域管理部と、前記データ未使用領域管理部に前記データを書き込む順番を管理するデータ書き込み順序管理部とを備え、前記データの書き込みは、前記未使用のデータ領域の先頭に行われ、前記データの削除は、前記使用しているデータ領域の最終に行われることを特徴とするデータ送受信装置。
【請求項１４】
前記データ保存部と、前記データ使用領域管理部と、前記データ未使用領域管理部と、前記データ書き込み順序管理部とをインターホンシステムに使用することを特徴とする請求項１３に記載のデータ送受信装置。
【請求項１５】
ＵＲＬ情報が添付されたコンテンツ情報や機器の制御情報を保存するサーバと、前記サーバからの前記コンテンツ情報や前記制御情報の配信用の配信リストファイルと、前記配信リストファイルにより配信を行うデータ配信部と、前記データ配信部より配信された前記コンテンツ情報や前記制御情報を記憶する記憶部とを備えたことを特徴とするデータ送受信装置。
【請求項１６】
前記サーバと、前記配信リストファイルと、前記データ配信部と、前記記憶部とをインターホンシステムに使用することを特徴とする請求項１５に記載のデータ送受信装置。
【発明の詳細な説明】
【０００１】
【発明の属する技術分野】
本発明は、電子メールなどの送受信を容易に行い、さらに高速処理を簡潔に行うデータ送受信装置に関する。
【０００２】
【従来の技術】
従来、特許文献１に記載されているように電子メールなどのデータ送受信装置においては、パソコンや携帯電話、ＰＤＡに代表されるように非常に数多くの端末が開発されてきている。さらに、その操作性向上のために様々な工夫が行われボタンを押すことにより電子メールソフトを起動したりすることも行われている。
【０００３】
ところが、データ送受信装置の操作性の煩雑さなどから利用者への負担が大きく、デジタルデバイドと言われるように情報弱者に対するデータ送受信装置の開発が望まれている。また、実際の利用は、非常に簡単なメール送受信機能であるにも関わらず、利用前に設定するパラメータなどの煩雑さから、そのデータ送受信装置の利用を拒む要因となっているのが現状である。
【０００４】
【特許文献１】
特開平１０−３０３９７６号公報
【０００５】
【発明が解決しようとする課題】
上記したごとく、従来の電子メールなどのデータ送受信装置においては、その操作性の煩雑さや、データ送受信以前に設定すべき多くのパラメータなどの煩雑さが利用を拒む要因となっていた。また、低速ネットワークでの高速化の利用が難しく、データ送受信装置そのものの高速化のためには高いコストがかかり、キーボードなどのインターフェースがないと使いづらいという問題を有していた。
【０００６】
本発明は、このような従来の問題を解決するためになされたものであり、電子メールなどの送受信を容易に行うことができ、さらに高速処理を簡潔に行うデータ送受信装置を提供するものである。
【０００７】
【課題を解決するための手段】
本発明のデータ送受信装置は、ネットワーク回線を通じてデータを受信するデータ端末部と、前記データ端末部より配信された前記データを長期間保存用と短期間保存用とに分類する分類手段と、前記分類手段により分類された長期間保存用の前記データを予め定めた長期間保存する長期記憶部と、前記分類手段により分類された短期保存用の前記データを予め定めた短期間一時的に保存する一時記憶部とを備えることとした。
【０００８】
従って、ネットワーク回線が細くても、装置全体のスループットを向上することができ、高速処理を簡潔に行うことができる。
【０００９】
また、本発明のデータ送受信装置は、前記データ端末部と、前記分類手段と、前記長期記憶部と、前記一時記憶部とをインターホンシステムに使用することとした。
【００１０】
従って、インターホンシステムで高速処理を効果的に行うことができる。
【００１１】
また、本発明のデータ送受信装置は、ネットワーク回線に対して電子メールを送信する電子メール送信手段と、前記電子メール送信手段に対して送信内容となる本文をそれぞれ作成する複数の電子メール本文作成手段と、前記複数の電子メール本文作成手段にそれぞれ対応して接続し、前記本文の送信指示がそれぞれ入力される複数の入力手段とを備えることとした。
【００１２】
従って、キーボードなどの入力手段を持たなくとも電子メールの返信が容易にでき、また、高齢者などのキーボードに不慣れな方々にとっても簡単に電子メールを使うことができる。
【００１３】
また、本発明のデータ送受信装置は、前記電子メール送信手段と、前記複数の電子メール本文作成手段と、前記複数の入力手段とをインターホンシステムに使用することとした。
【００１４】
従って、キーボードなどの入力手段を持たないインターホンシステムで効果的な使用をすることができる。
【００１５】
また、本発明のデータ送受信装置は、電子メールを送信するデータ端末部と、前記電子メールの選択対象となるアドレスを管理するアドレス管理部と、前記アドレスが選択されるアドレス選択手段とを備え、選択された前記アドレスにより前記データ端末部より前記電子メールが送信されることとした。
【００１６】
従って、キーボードなどの入力手段を持たなくとも電子メールの宛先を設定することができ、送受信を容易に行うことができる。
【００１７】
また、本発明のデータ送受信装置は、前記データ端末部と、前記アドレス管理部と、前記アドレス選択手段とをインターホンシステムに使用することとした。
【００１８】
従って、キーボードなどの入力手段を持たないインターホンシステムで効果的な使用をすることができる。
【００１９】
また、本発明のデータ送受信装置は、受信した電子メールの送信先アドレスを取り出す送信先取得手段と、前記電子メールより前記電子メールの題名を取り出す題名取得手段と、前記送信先アドレスと前記題名とを元に、電子メールアドレスを登録するアドレス登録手段と、前記電子メールアドレスを記憶するアドレス記憶部と、前記電子メールが送信されるとき前記アドレス記憶部に記憶された電子メールアドレスが選択されるアドレス選択手段と、前記アドレス選択手段により選択された電子メールアドレスを用いて電子メールを送信する電子メール送信部とを備えることとした。
【００２０】
従って、キーボードなどの入力手段を持たなくとも電子メールの送信を容易に行うことができる。
【００２１】
また、本発明のデータ送受信装置は、前記送信先取得手段と、前記題名取得手段と、前記アドレス登録手段と、前記アドレス記憶部と、前記アドレス選択手段と、前記電子メール送信部とをインターホンシステムに使用することとした。
【００２２】
従って、キーボードなどの入力手段を持たないインターホンシステムで効果的な使用をすることができる。
【００２３】
また、本発明のデータ送受信装置は、ネットワーク回線から受信した電子メールのデータを配信するデータ配信部と、前記データを受信するデータ端末部と、前記データ端末部がデータを受信したことを外部に通知する受信通知手段と、前記通知を行うか否かが選択される受信通知選択手段とを備えることとした。
【００２４】
従って、重要な情報を逃さず知ることができ、効果的な送受信を容易に行うことができる。
【００２５】
また、本発明のデータ送受信装置は、前記データ配信部と、前記データ端末部と、前記受信通知手段と、前記受信通知選択手段とをインターホンシステムに使用することとした。
【００２６】
従って、キーボードなどの入力手段を持たないインターホンシステムで効果的な使用をすることができる。
【００２７】
また、本発明のデータ送受信装置は、ネットワーク回線から受信した電子メールのデータを配信するデータ配信部と、前記データ配信部から配信されてきたデータをローカルに記憶するローカル記憶手段と、前記ネットワーク回線上にあるデータならびに前記ローカル記憶手段上にあるデータを表示する機能を有するブラウズ手段と、前記ブラウズ手段が過去に表示したデータをキャッシュするキャッシュ手段とを備えることとした。
【００２８】
従って、ネットワーク回線が細くてもできるだけデータ端末部のデータを使い、ネットワーク回線への負荷低減を実現することができ、高速処理を簡潔に行うことができる。
【００２９】
また、本発明のデータ送受信装置は、前記データ配信部と、前記ローカル記憶手段と、前記ブラウズ手段と、前記キャッシュするキャッシュ手段とをインターホンシステムに使用することとした。
【００３０】
従って、キーボードなどの入力手段を持たないインターホンシステムで効果的な使用をすることができる。
【００３１】
また、本発明のデータ送受信装置は、データを保存する書き換え可能のデータ保存部と、前記データ保存部で使用しているデータ領域を管理するデータ使用領域管理部と、前記データ保存部で未使用のデータ領域を管理するデータ未使用領域管理部と、前記データ未使用領域管理部に前記データを書き込む順番を管理するデータ書き込み順序管理部とを備え、前記データの書き込みは、前記未使用のデータ領域の先頭に行われ、前記データの削除は、前記使用しているデータ領域の最終に行われることとした。
【００３２】
従って、同じデータ領域が何度もアクセスされることを回避することができ、デバイスそのものの寿命を延ばし、送受信を容易に行うことができる。
【００３３】
また、本発明のデータ送受信装置は、前記データ保存部と、前記データ使用領域管理部と、前記データ未使用領域管理部と、前記データ書き込み順序管理部とをインターホンシステムに使用することとした。
【００３４】
従って、キーボードなどの入力手段を持たないインターホンシステムで効果的な使用をすることができる。
【００３５】
また、本発明のデータ送受信装置は、ＵＲＬ情報が添付されたコンテンツ情報や機器の制御情報を保存するサーバと、前記サーバからの前記コンテンツ情報や前記制御情報の配信用の配信リストファイルと、前記配信リストファイルにより配信を行うデータ配信部と、前記データ配信部より配信された前記コンテンツ情報や前記制御情報を記憶する記憶部とを備えることとした。
【００３６】
従って、サーバへのアクセスを容易とすることができ、送受信を容易行うことができる。
【００３７】
さらに、本発明のデータ送受信装置は、前記サーバと、前記配信リストファイルと、前記データ配信部と、前記記憶部とをインターホンシステムに使用することとした。
【００３８】
従って、キーボードなどの入力手段を持たないインターホンシステムで効果的な使用をすることができる。
【００３９】
【発明の実施の形態】
以下、本発明の実施の形態について、図面を用いて説明する。
【００４０】
図１は、本発明の第１の実施の形態におけるデータ送受信装置のブロック図を示す。
【００４１】
図１に示すように、本発明の第１の実施の形態におけるデータ送受信装置は、電話回線やＩＳＤＮなどを利用したインターネットや専用線でのイントラネット、家庭内の配電系統におけるエコネット、ＦＴＴＨのような家庭内の光ファイバー、インターホンに用いられるデジタルペア線などのネットワークを表すネットワーク回線１００と、ネットワーク回線１００を通じて、電子メール、ＨＴＭＬファイル、画像や音声のデータファイルなどのネットワーク上のデータを配信するデータ配信部１０１と、データ配信部１０１から受け取った電子メールなどのデータをハードディスクやメモリのような媒体に記憶したり、逆にそれらの媒体に記憶されたデータをデータ配信部１０１に送出するデータ端末部１０２と、データ端末部１０２に配信されてきたデータを元に、データ端末部１０２に長期間保存すべきデータであるか、短期間一時的に保存すべきデータであるかを判定し分類する分類手段１０３と、不揮発性メモリやバックアップ電源付きのメモリや、ハードディスクなどで構成されており、データ端末部１０２に長期間保存すべきデータを記憶する長期記憶部１０４と、不揮発性メモリやバックアップ電源付きのメモリ、もしくは、ハードディスクのようなディスクなどで構成されており、データ端末部１０２に短期間一時的に記憶すべきデータを記憶する一時記憶部１０５とから構成されている。
【００４２】
本発明の第１の実施の形態におけるデータ送受信装置は、電子メール、ＨＴＭＬファイル、画像や音声データなどの各種のデジタルデータを、ネットワーク回線１００から、ルーターなどのデータ配信部１０１がデータを中継し、データ端末部１０２に配信する。分類手段１０３では、配信されてきたデータを、データ端末部１０２に長期間保存すべきであるか、短期間一時的に保存すべきであるかを判定し分類する。長期間保存すべきデータは、長期記憶部１０４に保存し、短期間一時的で構わないデータは、一時記憶部１０５に保存する。
【００４３】
このように選別分類して保存することにより、ネットワーク回線が細く非力でスループットが上がらない場合でも、取捨選択された一部のデータは長期記憶部１０４に保存されているためにネットワーク経由でデータを取りに行かずに済み、高速処理が可能となる。特によく使うホームページデータなどを長期記憶部１０４に保存しておくと、たとえネットワーク回線が細くてもローカルだけで閉じているため外部ネットワークにアクセスすることはなく、データ送受信装置トータルとして高速処理を図ることができる。
【００４４】
また、キャッシュとは異なり、頻繁にアクセスをしていなくても、必ずレスポンスが高速に期待できるために、データ端末部１０２に領域を確保しコマーシャル料金を払ったコンテンツのみ長期記憶部１０４に保存するなどのサービスの実現も可能となる。
【００４５】
図９は、本発明の第１の実施の形態におけるデータ送受信装置が外部サーバと接続しているときのブロック図を示す。
【００４６】
図９により、本発明の第１の実施の形態におけるデータ送受信装置の動作をさらに詳しく説明する。
【００４７】
図９に示すように、外部サーバ８０１には、各種コンテンツが保存され、保存されているコンテンツの中で、最初に表示されるコンテンツをトップページＨＴＭＬファイル８０２とし、トップページＨＴＭＬファイル８０２からのリンクでつながっているＨＴＭＬファイルを第２ページＨＴＭＬファイル８０３とする。データ端末部１０２は、ＨＴＭＬファイルの表示を行う場合には、それぞれデータ端末部１０２内にネットワーク回線１００を通じて、トップページＨＴＭＬファイル８０２、第２ページＨＴＭＬファイル８０３が記憶される必要がある。トップページＨＴＭＬファイル８０２は、長期記憶部１０４に記憶し、第２ページＨＴＭＬファイル８０３は、一時記憶部１０５に記憶する。また、それぞれ記憶されたＨＴＭＬファイルをトップページＨＴＭＬファイル８１１、第２ページＨＴＭＬファイル８２１とする。なお、第２ページＨＴＭＬファイル８０３以降、リングでつながっているＨＴＭＬファイルを一時記憶部１０５に記憶することもできる。
【００４８】
長期記憶部１０４に記憶されたトップページＨＴＭＬファイル８１１は、外部サーバ８０１より意識的に書き換えを行わない限りは、その内容を保持し続け、データ端末部１０２から閲覧要求があった場合は、長期記憶部１０４よりコンテンツ提供を行う。それに対して、一時記憶部１０５に記憶された第２ページＨＴＭＬファイル８２１は、一定期間もしくは一定量を超えた時点で、その内容を更新するため、データ端末部１０２から閲覧要求があった場合は、一時記憶部１０５に存在しないコンテンツに対しては、ネットワーク回線１００を通じて、コンテンツ取得を行う。このことにより、もっとも頻繁にアクセスが行われるトップページＨＴＭＬファイル８１１を内部の長期記憶部１０４より高速に閲覧することができると同時に、第２ページＨＴＭＬファイル８２１の大量のコンテンツなどを内部の一時記憶部１０５もしくは、ネットワーク回線８０４を通じて取り込むことが可能となり、システム全体のネットワーク回線８０４にかける負担を軽減し、高速にアクセスすることが可能となる。
【００４９】
以上のように、ネットワーク回線が細くても事前にコンテンツを長期間記憶と短期間記憶と分けて保存することにより、データ送受信装置全体のスループットを向上することができ、高速処理を簡潔に行うことができる。
【００５０】
図２は、本発明の第２の実施の形態におけるデータ送受信装置のブロック図を示す。
【００５１】
図２に示すように、本発明の第２の実施の形態におけるデータ送受信装置は、電話回線やＩＳＤＮなどを利用したインターネットや専用線でのイントラネット、家庭内の配電系統におけるエコネット、ＦＴＴＨのような家庭内の光ファイバー、インターホンに用いられるデジタルペア線などのネットワークを表すネットワーク回線２００と、ネットワーク回線２００を通じて、ＵＮＩＸ（登録商標）のサーバなどの電子メールを送信する電子メール送信手段２０１と、電子メール送信手段２０１に渡すべき電子メールの本文の文章を自動作成する第１電子メール本文作成手段２１０と、第１電子メール本文作成手段２１０に電子メールの送信指示を出すために、タッチパネルのボタンや大型ボタンなどで構成される第１入力手段２１１と、電子メール送信手段２０１に渡すべき電子メールの本文の文章を自動作成する第２電子メール本文作成手段２２０と、第２電子メール本文作成手段２２０に電子メールの作成指示を出すために、タッチパネルのボタンや大型ボタンなどで構成される第２入力手段２２１と、電子メール送信手段２０１に渡すべき電子メールの本文の文章を自動作成する第Ｎ電子メール本文作成手段２９０と、第Ｎ電子メール本文作成手段２９０に電子メールの送信指示を出すために、タッチパネルのボタンや大型ボタンなどで構成される第Ｎ入力手段２９１とから構成されている。
【００５２】
本発明の第２の実施の形態におけるデータ送受信装置は、電子メールなどの返事を出したい場合に、例えば、「読みました」という文面を付加して送信者に返信する場合に、第１入力手段２１１に返信指示が出されたとき、第１電子メール本文作成手段２１０は、送信者のメールを引用し、さらに「読みました」という文章を付加した本文を作成し、その本文を電子メール送信手段２０１に転送することにより、ネットワーク回線２００を通じて、外部のネットワークに転送することができる。
【００５３】
同様に、例えば、「ＯＫです」という文面を付加して送信者に返信する場合には、第２入力手段２２１に返信指示が出されたとき、第２電子メール本文作成手段２２０が、送信者のメールを引用し、さらに「ＯＫです」という文章を付加した本文を作成し、その本文を電子メール送信手段２０１に転送することにより、ネットワーク回線２００を通じて、外部のネットワークに転送することができる。
【００５４】
同様に、例えば、「いいえ違います」という文面を付加して送信者に返信する場合には、第Ｎ入力手段２９１に返信指示が出されたとき、第Ｎ電子メール本文作成手段２９０が、送信者のメールを引用し、さらに「いいえ違います」という文章を付加した本文を作成し、その本文を電子メール送信手段２０１に転送することによりネットワーク回線２００を通じて、外部のネットワークに転送することができる。
【００５５】
図１０は、本発明の第２の実施の形態におけるデータ送受信装置に用いられる入力手段にタッチパネルを使用したときの画面例を示す。
【００５６】
図１０に示すように、第１の画面９００においては、画面上に第１入力手段２１１、第２入力手段２２１が設置されるとともに、受信した電子メールが表示される。受信した電子メールに対して返事を作成するときには、従来キーボードなどの入力デバイスが用いられて文面が作成されていたが、キーボードなどの入力デバイスを持たないＰＤＡなどでは、事前に返信内容に「はい」「いいえ」「読みました」を判断させる情報のみの提示を行うことにより返信文章が作成され、送信が行われる。例えば、第１入力手段２１１には、「Ｙｅｓ」という意味が提示されており、このボタンが押されたときには、第２の画面９０４に示すように、受け取った文面が引用符で示され、「はい、わかりました」という内容が追加され返信が行われる。
【００５７】
以上のように、キーボードなどを持たないデータ送受信装置において、文面を含めて自動生成された電子メールの返信が入力手段により容易にでき、また、高齢者などのキーボードに不慣れな方々にとっても簡単に電子メールを使うことができ、送受信を容易に行うことができる。
【００５８】
図３は、本発明の第３の実施の形態におけるデータ送受信装置のブロック図を示す。
【００５９】
本発明の第３の実施の形態におけるデータ送受信装置では、インターホンのように文字列入力手段を持たないデータ端末部３０２と、一覧表の中から対象となる電子メールアドレスを選択する機能を持つアドレス選択手段３０３と、マンションなどの集合住宅におけるローカルな部屋番号を利用した電子メールアドレスや、地域で閉じたローカルネットワーク内のユーザアドレスなどを管理するアドレス管理部３０４とから構成されている。
【００６０】
本発明の第３の実施の形態におけるデータ送受信装置では、キーボードやマウスの文字入力手段を持たないインターホンなどで電子メールを送るとき、相手先のアドレスを入力することはできないが、閉じたネットワークの中では相手先のアドレスは事前に管理することは可能であり、例えば、文字列入力手段を持たないデータ端末部３０２に対して、文字列の入力ができなくても、一覧表の中から対象となる電子メールアドレスを選択する機能を持つアドレス選択手段３０３を持つことにより、マンションなどの集合住宅におけるローカルな部屋番号を利用した電子メールアドレスなどを事前にアドレス管理部３０４でデータとして持っことにより、キーボードレスでメールを出す宛先を選び設定することができる。
【００６１】
図１１は、本発明の第３の実施の形態におけるデータ送受信装置で用いられるアドレス管理部の画面とデータ端末部の画面を示す。
【００６２】
本発明の第３の実施の形態におけるデータ送受信装置では、集合住宅における住民のアドレス一覧のような情報の管理がアドレス管理部３０４で行われる。各住戸が個々に管理をすることなく、アドレス管理部３０４の画面１０００より所用のアドレスデータがアドレス選択手段３０３（図３参照）を使って選択されることにより、データ端末部３０２に取り込まれる。また、データ端末部３０２に取り込まれた所用のアドレスデータがデータ端末部３０２の画面１００１で選択されることにより、キーボードのような入力デバイスを持たない端末であってもアドレスを取得することが可能となる。さらに、膨大なアドレスデータを管理するアドレス管理部３０４中から必要なアドレスデータのみがデータ端末部３０２に取り込まれデータ端末部３０２の画面１００１に表示され選択されることにより、キーボードレスでも簡易な操作でアドレスを見つけることができる。なお、画面１０００および画面１００１において、電子メールアドレスは非表示とすることができる。
【００６３】
以上のように、キーボードのない端末においても、アドレスを逐次入力することなく、アドレス管理部によって用意されたアドレスを選択するのみで電子メールの宛先を設定することができ、送受信を容易に行うことができる。
【００６４】
図４は、本発明の第４の実施の形態におけるデータ送受信装置のブロック図を示す。
【００６５】
本発明の第４の実施の形態におけるデータ送受信装置は、インターネットなどから電子メールを受信することが可能な電子メール受信部４０１と、電子メール受信部４０１によって取り込まれた電子メールのテキストデータから電子メールを送信した相手先のアドレスを取り出す送信先取得手段４０２と、電子メール受信部４０１によって取り込まれた電子メールのテキストデータから電子メールの題名を取り出す題名取得手段４０３と、送信先取得手段４０２からの電子メール相手先アドレスと題名取得手段４０３からの電子メールの題名とを元に、送りたい相手先の電子メールアドレスの登録を行うアドレス登録手段４０４とアドレス登録手段４０４により登録される電子メールアドレスを記憶するアドレス記憶部４０５と、アドレス記憶部４０５に記憶されている電子メールアドレスデータを選択することができるアドレス選択手段４０６と、アドレス選択手段４０６により、選択された電子メールアドレスに対して電子メールを送信する電子メール送信部４０７とから構成されている。
【００６６】
キーボードやマウスのような文字入力手段を持たず文字列の入力ができないインターホンなどで電子メールを送るとき、相手先のアドレスを入力することはできず、また、閉じたネットワークと違いインターネットのようなオープンなネットワークに対して電子メールを出すときに、そのアドレスをキーボードを使わずに入力することはできないが、電子メール受信部４０１を使って受け取った電子メールを元に、送信先取得手段４０２により、相手先のアドレスを取得し、その一覧表を作成することはできる。ただし、ニックネームをアドレスに使っている場合などでは、一覧表にするときに相手先のアドレスのみの情報では相手先を特定することは困難である。そこで、電子メールの題名部分に相手先の名前など分かりやすい記述を行い、題名取得手段４０３を用いて、さらに理解しやすい一覧表を作成し、アドレス登録手段４０４により、アドレス記憶部４０５に記憶し、アドレス選択手段４０６により一覧表の中から対象となる電子メールアドレスが選択されることにより、キーボードレスで、メールを出すあて先を選定して設定し、電子メール送信部４０７より電子メールを送信することができる。
【００６７】
図１２は、本発明の第４の実施の形態におけるデータ送受信装置で受信した電子メールの表示画面を示す。
【００６８】
本発明の第４の実施の形態におけるデータ送受信装置は、表示画面１１００に示すように受信した電子メールを表示し、その内容が確認され、画面上のタッチパネルなどで構成されるアドレス登録手段４０４の操作が行われたとき、アドレス記憶部４０５にアドレス情報が記憶され表示画面１１０２に示すように表示される。このとき、送信元のアドレスを登録アドレスとし、送信メールの題名を登録名称とすることにより、キーボードを使わなくてもアドレスが登録され、しかもその登録名称に漢字などを交えた分かりやすい表現を含めることが可能となる。登録されたアドレスはアドレス選択手段４０６により選択され、キーボードなしで電子メール送信先アドレスを指定することが可能となる。
【００６９】
以上のように、キーボードなどの入力デバイスがなくとも、受信したメールより電子メールアドレスを得ることにより、アドレス管理が可能となり、記憶されたアドレスを元に電子メールの送信を行うことができ、送受信を容易に行うことができる。
【００７０】
図５は、本発明の第５の実施の形態におけるデータ送受信装置のブロック図を示す。
【００７１】
図５に示すように、本発明の第５の実施の形態におけるデータ送受信装置は、電話回線やＩＳＤＮなどを利用したインターネットや専用線でのイントラネット、家庭内の配電系統におけるエコネット、ＦＴＴＨのような家庭内の光ファイバー、インターホンに用いられるデジタルペア線などのネットワークを表すネットワーク回線５００と、ネットワーク回線５００を通じて、電子メール、ＨＴＭＬファイル、画像や音声のデータファイルなどのネットワーク上のデータを配信するデータ配信部５０１と、データ配信部５０１から受け取った電子メールなどのデータをハードディスクやメモリのような媒体に記憶したり、逆にそれらの媒体に記憶されたデータをデータ配信部５０１に送出するデータ端末部５０２と、データ端末部５０２が受信した電子メールやＨＴＭＬファイルの状況をＬＥＤなどの表示デバイスや、バイブレーションのような振動デバイスにてユーザに受信を知らせる受信通知手段５０３と、受信通知手段５０３が使用され、ユーザにより意図的に受信通知の選択が行われる受信通知選択手段５０４とから構成されている。
【００７２】
本発明の第５の実施の形態におけるデータ送受信装置は、ネットワーク回線５００を通じて、電子メール、ＨＴＭＬファイル、画像や音声のデータファイルなどのネットワーク上のデータをデータ配信部５０１により、データ端末部５０２に流し込むことができ、データ端末部５０２が受信した電子メールやＨＴＭＬファイルの状況を、受信通知手段５０３によりユーザに知らせることができるが、受信部選択手段５０４によりユーザの意図に応じて受信通知をするか、しないかを選択することができる。
【００７３】
図１３は、本発明の第５の実施の形態におけるデータ送受信装置で受信した電子メールの受信通知を行うときの表示画面を示す。
【００７４】
図１３に示す本発明の第５の実施の形態におけるデータ送受信装置は、データ端末部５０２（図５参照）の設定に関し、受信選択画面１２００には選択ボタンの第１選択手段１２０１と第２選択手段１２０２が設けられ、第１選択手段１２０１が選択されたときには、データがデータ端末部５０２で受信したデータの受信通知を行うこととし、第２選択手段１２０２が選択されたときには、何らかのデータがデータ端末部５０２に受信されたとしても、その受信通知を行わないこととする。第１選択手段１２０１が選択された場合、表示画面１２０３が表示され、受信通知手段５０３を用いてＬＥＤ１２０４の点滅や画面上での色変化などでデータ端末部５０２にデータを受信したことをユーザに分かるように提示する。
【００７５】
また、選択手段１２０２が選択された場合、表示画面１２０５のような画面が表示され、データを受信したとしても、通常画面を表示するだけで何ら変化を見せないようにする。このことにより、ユーザの嗜好に応じて、受信したデータを知らせるかどうかを選択することができ、不要なデータに対しては、受信通知をしないために、本当に必要なデータの受信通知を意味あるものとすることが可能となる。例えば、広告メールのような内容に対しては、受信通知を行わないようにして、管理情報のようなぜひ読みとる必要のある情報に関しては、常に受信通知を行うことにより、本当に必要な情報のみ選択してその通知を知ることができる。
【００７６】
以上のように、データ端末部に対して受信通知選択手段を設けることにより、多くの情報の中から本当に必要な情報の受信時のみ、その受信通知を行い、重要な情報を逃さず知ることができ、効果的な送受信を容易に行うことができる。
【００７７】
図６は、本発明の第６の実施の形態におけるデータ送受信装置のブロック図を示す。
【００７８】
図６に示すように、本発明の第６の実施の形態におけるデータ送受信装置は、電話回線やＩＳＤＮなどを利用したインターネットや専用線でのイントラネット、家庭内の配電系統におけるエコネット、ＦＴＴＨのような家庭内の光ファイバー、インターホンに用いられるデジタルペア線などのネットワークを表すネットワーク回線６００と、ネットワーク回線６００を通じて、電子メール、ＨＴＭＬファイル、画像や音声のデータファイルなどのネットワーク上のコンテンツのデータをデータ端末部６０２に配信するデータ配信部６０１と、データ端末部６０２内に設けられ、データ配信部６０１から配信されてきたデータをハードディスクやフラッシュＲＯＭなどの不揮発性の記憶部に記憶するローカル記憶手段６０３と、データ端末部６０２内に設けられ、データ配信部６０１から配信されてきたメモリなどの揮発性の記憶部に記憶するキャッシュ手段６０４と、読み出したいコンテンツのデータがキャッシュ手段６０４、ローカル記憶手段６０３もしくは、ネットワーク回線６００上にあれば、それらを閲覧のために表示するブラウズ手段６０５とから構成されている。
【００７９】
本発明の第６の実施の形態におけるデータ送受信装置は、ネットワーク回線６００を通じて、ネットワーク上のデータをデータ配信部６０１によりデータ端末部６０２に流し込み、ブラウズ手段６０５によりデータを表示することができる。表示対象のデータは、キャッシュ手段６０４にあればキャッシュ手段６０４にあるデータを表示することができ、キャッシュ手段６０４になくローカル記憶手段にあればローカル記憶手段６０３にあるデータを表示することができ、ローカル記憶手段６０３にないならば、ネットワーク回線６００を通じて外部にあるサーバから取り込み表示することができる。
【００８０】
図１４は、本発明の第６の実施の形態におけるデータ送受信装置がサーバと接続しているときのブロック図を示す。
【００８１】
本発明の第６の実施の形態におけるデータ送受信装置は、コンテンツのデータがサーバ１３０３に保存され、それらのコンテンツのデータを配信するために、配信リストファイル１３０２が作成されている。この配信リストファイル１３０２には、データ配信部６０１によりどのデータ端末部６０２に配信するかの情報が記述されており、その記述に従い、データ配信部６０１では、サーバ１３０３から取り出したコンテンツを、ネットワーク回線１３００を通じて、データ端末部６０２内のローカル記憶手段６０３に配信する。
【００８２】
データ端末部６０２内においては、ブラウズ手段６０５からリクエストされた表示要求に対して、サーバ１３０３に取りに行く動作をするが、そのときに、キャッシュ手段６０４にも記憶する。この場合、次回の表示要求に対しては、キャッシュ手段６０４を直接参照することにより、ネットワーク回線１３０４の負荷を減らすことができ、高速のブラウジング動作が期待できる。さらに、事前にデータ配信部６０１により、コンテンツのデータをローカル記憶手段６０３に記憶しておき、ブラウズ手段６０５からの表示要求に対して、キャッシュ手段６０４に存在しないコンテンツで、かつローカル記憶手段６０３に記憶されているコンテンツは、ネットワーク回線１３０４を使うことなく表示が可能となる。
【００８３】
以上のように、ネットワーク回線が細くてもできるだけデータ端末部のデータを使い、ネットワーク回線への負荷低減を実現することができ、高速処理を簡潔に行うことができる。
【００８４】
図７は、本発明の第７の実施の形態におけるデータ送受信装置のブロック図を示す。
【００８５】
図７に示すように、本発明の第７の実施の形態におけるデータ送受信装置は、ハードディスクやフラッシュＲＯＭなどの不揮発性メモリのデータ領域にデータを保存するデータ保存部７０４と、データ保存部７０４に保存されているデータが、データ保存部７０４のどのデータ領域を使用しているのかを管理するデータ使用領域管理部７０１と、データ保存部７０４のどのデータ領域が未使用で書き込みが可能であるかを管理するデータ未使用領域管理部７０２と、データ保存部７０４にデータを保存するときに、データ未使用領域管理部７０２に対して、どの未使用領域に保存するかが指示されるデータ書き込み順序管理部７０３とから構成されている。
【００８６】
図１５は、本発明の第７の実施の形態におけるデータ送受信装置に用いるデータ領域とデータ管理領域を示す。データ領域１４０１〜１４０８とデータ管理領域１４００は、データ保存部７０４（図７参照）に設けられる。
【００８７】
図７と図１５により、本発明の第７の実施の形態におけるデータ送受信装置の動作を説明する。
【００８８】
本発明の第７の実施の形態におけるデータ送受信装置は、データ保存部７０４でデータ領域１４０１〜１４０８を使用しているか、それとも未使用であるかのフラグを保存する。例えば、第１データ領域１４０１、第２データ領域１４０２にデータが書き込まれていて、それ以外の第３データ領域１４０３、第４データ領域１４０４、第５データ領域１４０５、第６データ領域１４０６、第７データ領域１４０７、第８データ領域１４０８には、データが書き込まれていない場合、データ管理領域１４００には、第１データ領域１４０１、第２データ領域１４０２のデータ保存フラグ１４００が登録されており、第３データ領域１４０３、第４データ領域１４０４、第５データ領域１４０５、第６データ領域１４０６、第７データ領域１４０７、第８データ領域１４０８のデータ未使用フラグ１４００Ｂが登録されている。
【００８９】
このとき、次のデータが書き込みされる場合には、データ未使用フラグ１４００Ｂを参照し、先頭の第３データ領域１４０３から書き込みを行う。それに対して、データの削除要求があった場合は、例えば第２データ領域１４０２のデータを削除すると、データ未使用フラグ１４００Ｂの最終キューに第２データ領域１４０２を登録することにより、書き込みが一度も使用されていないデータ領域がなくなるまで第２データ領域１４０２に書き込みが行われることはない。
【００９０】
以上のように、データ管理領域にデータの未使用領域を管理させることにより、データ領域は、同じデータ領域が何度もアクセスされるようなことを回避することができ、ＦＲＯＭなどのデバイスで構成されている場合、デバイスそのものの寿命を延ばすことができる。
【００９１】
なお、本発明の第７の実施の形態におけるデータ送受信装置は、インターホンに使用し同様の効果を上げることができる。
【００９２】
図８は、本発明の第８の実施の形態におけるデータ送受信装置のブロック図を示す。
【００９３】
図８に示すように、本発明の第８の実施の形態におけるデータ送受信装置は、ＨＴＭＬファイルやＧＩＦファイルのようなコンテンツ情報や機器の制御情報を保存しているサーバ１５０３と、サーバ１５０３の各種情報を配信するための配信先やその種別を記述した配信リストファイル１５０２を参照し、サーバ１５０３にある各種情報を配信するデータ配信部１５０１と、データ配信部１５０１から外部にデータを送るためのイーサーネットなどのネットワーク回線１５００と、ネットワーク回線１５００を通じて、サーバ１５０３に保存されている情報を受信する記憶部１５０４とから構成されている。
【００９４】
次に、上記のような構成を有する本発明の第８の実施の形態におけるデータ送受信装置の動作につき説明する。
【００９５】
本発明の第８の実施の形態におけるデータ送受信装置は、サーバ１５０３内に、ＨＴＭＬなどのコンテンツ情報と共に機器の制御情報などを保存し、それらの種別が分かるように配信リストファイル１５０２に属性をつけておく。機器の制御情報は、単にそのファイルの中身のみ送れば良いが、ＨＴＭＬなどのコンテンツ情報は、そのＵＲＬ情報も添付しないと、ＨＴＴＰでリクエストしたときに、再度サーバ１５０３にアクセスすることができないため、コンテンツ情報には、ＵＲＬをつけておく。配信リストファイル１５０２を参照して、データ配信部１５０１は、各種情報別にネットワーク回線１５００を通じて配信を行い、記憶部１５０４に保存するが、コンテンツ情報などは配信リストファイル１５０２に記述されているＵＲＬ情報を元にファイルを構成し保存する。このことにより、記憶部１５０４の情報をアクセスするとコンテンツなどの情報はリンクをたどることができる。
【００９６】
以上のように、コンテンツ情報にＵＲＬ情報を加えることにより、配信されたコンテンツに対してもリンクをたどることができサーバへのアクセスを容易とすることができ、送受信を容易行うことができる。また、ＨＴＭＬなどのコンテンツ情報と機器の制御情報などを別々のサーバを立てることなく、配信リストに記述併用することにより、同じ枠組みで配信することができる。
【００９７】
なお、本発明の第８の実施の形態におけるデータ送受信装置は、インターホンに使用し同様の効果を上げることができる。
【００９８】
【発明の効果】
以上、本発明のデータ送受信装置は、電子メールなどの送受信を容易に行うことができ、さらに高速処理を簡潔に行うことができる。
【図面の簡単な説明】
【図１】本発明の第１の実施の形態におけるデータ送受信装置のブロック図
【図２】本発明の第２の実施の形態におけるデータ送受信装置のブロック図
【図３】本発明の第３の実施の形態におけるデータ送受信装置のブロック図
【図４】本発明の第４の実施の形態におけるデータ送受信装置のブロック図
【図５】本発明の第５の実施の形態におけるデータ送受信装置のブロック図
【図６】本発明の第６の実施の形態におけるデータ送受信装置のブロック図
【図７】本発明の第７の実施の形態におけるデータ送受信装置のブロック図
【図８】本発明の第８の実施の形態におけるデータ送受信装置のブロック図
【図９】本発明の第１の実施の形態におけるデータ送受信装置が外部サーバと接続しているときのブロック図
【図１０】本発明の第２の実施の形態におけるデータ送受信装置に用いられる入力手段にタッチパネルを使用したときの画面例を示す図
【図１１】本発明の第３の実施の形態におけるデータ送受信装置で用いられるアドレス管理部の画面とデータ端末部の画面を示す図
【図１２】本発明の第４の実施の形態におけるデータ送受信装置で受信した電子メールの表示画面を示す図
【図１３】本発明の第５の実施の形態におけるデータ送受信装置で受信した電子メールの受信通知を行うときの表示画面を示す図
【図１４】本発明の第６の実施の形態におけるデータ送受信装置がサーバと接続しているときのブロック図
【図１５】本発明の第７の実施の形態におけるデータ送受信装置に用いるデータ領域とデータ管理領域を示す図
【符号の説明】
１００、２００、５００、６００、１３００、１５００  ネットワーク回線
１０１、５０１、６０１、１５０１  データ配信部
１０２、３０２、５０２、６０２  データ端末部
１０３  分類手段
１０４  長期記憶部
１０５  一時記憶部
２０１  電子メール送信手段
２１０  第１電子メール本文作成手段
２１１  第１入力手段
２２０  第２電子メール本文作成手段
２２１  第２入力手段
２９０  第Ｎ電子メール本文作成手段
２９１  第Ｎ入力手段
３０３  アドレス選択手段
３０４  アドレス管理部
４０１  電子メール受信部
４０２  送信先取得手段
４０３  題名取得手段
４０４  アドレス登録手段
４０５  アドレス記憶部
４０６  アドレス選択手段
４０７  電子メール送信部
５０３  受信通知手段
５０４  受信通知選択手段
６０３  ローカル記憶手段
６０４  キャッシュ手段
６０５  ブラウズ手段
７０１  データ使用領域管理部
７０２  データ未使用領域管理部
７０３  データ書き込み順序管理部
７０４  データ保存部
８０１、１３０３、１５０３  サーバ
８０２、８１１  トップページＨＴＭＬファイル
８０３、８２１  第２ページＨＴＭＬファイル
９００  第１画面
９０４  第２画面
１０００  アドレス管理部画面
１００１  データ端末装置画面
１１００  表示画面
１２００  受信選択画面
１２０１  第１選択手段
１２０２  第２選択手段
１３０２、１５０２  配信リストファイル
１３０４  内部記憶部
１３０５  メモリキャッシュ
１３０６  ブラウザ
１４００  データ管理領域
１５０４  記憶部
【図１】
2004221763.tif 000003
【図２】
2004221763.tif 000004
【図３】
2004221763.tif 000005
【図４】
2004221763.tif 000006
【図５】
2004221763.tif 000007
【図６】
2004221763.tif 000008
【図７】
2004221763.tif 000009
【図８】
2004221763.tif 000010
【図９】
2004221763.tif 000011
【図１０】
2004221763.tif 000012
【図１１】
2004221763.tif 000013
【図１２】
2004221763.tif 000014
【図１３】
2004221763.tif 000015
【図１４】
2004221763.tif 000016
【図１５】
2004221763.tif 000017